(57)【特許請求の範囲】
【請求項１】
（ａ）対向する内側側面に凹状のガイド溝が形成された構体と、
（ｂ）対向する面に孔が形成され、施錠操作の動きに連動して直線的に移動するスライド部材と、
（ｃ）該スライド部材の対向する面に形成された孔から突出して前記構体に形成されたガイド溝に両端が嵌合し、前記スライド部材の移動に伴って、前記孔およびガイド溝の形状に沿って移動する２本の連動軸と、
（ｄ）該２本の連動軸によって保持され、施錠時に前記構体から突出するフックとを有し、
前記（ａ）の構体内に、前記（ｂ）のスライド部材が、前記（ａ）の構体のガイド溝が形成された面と、前記（ｂ）のスライド部材の孔が形成された対向する面とが平行になるように収容された引き戸用錠であって、
前記スライド部材には、前記フックが突出する側に向けて凸の略円弧状の誘導孔と、前記フックが突出する側から離れる方向に延びるような形状の誘導孔とが形成され、
前記構体には、前記スライド部材の進行方向に延びるような形状のガイド溝と、前記スライド部材の進行方向に対して垂直な方向に延びるような形状のガイド溝とが形成されてなる引き戸用錠。
【請求項２】
前記スライド部材に形成された前記フックが突出する側から離れる方向に延びるような形状の誘導孔が、前記スライド部材の施錠時における進行方向の側から離れる方向に延びるように階段状に形成されてなる請求項１記載の引き戸用錠。
【請求項３】
前記スライド部材に形成された、前記フックが突出する側から離れる方向に延びるような形状の誘導孔が、前記スライド部材の施錠時における進行方向の側から離れる方向に延びるように直線状に形成されてなる請求項１記載の引き戸用錠。
【発明の詳細な説明】
【技術分野】
【０００１】
本発明は、引き戸用錠に関する。さらに詳しくは、内側側面に凹状のガイド溝が形成された構体と、対向する面に孔が形成され、施錠操作の動きに連動して直線的に移動するスライド部材と、該スライド部材の対向する面に形成された孔から突出して前記構体に形成されたガイド溝に両端が嵌合し、前記スライド部材の移動に伴って、前記孔およびガイド溝の形状に沿って移動する２本の連動軸と、該２本の連動軸によって保持され、施錠時に前記構体から突出するフックとを有する引き戸用錠に関する。
【背景技術】
【０００２】
従来より、引き戸を施錠するために引き戸用の錠が用いられている。また、近年、引き戸の種類も多様化し、その引き戸の種類に応じた機能的な錠を提案していく必要がある。
【０００３】
バリアフリーの観点や、有効利用できていない空間すなわちデッドスペースの問題を解消する観点から注目されている代表的な引き戸としては、連送式引き戸があげられる。連送式引き戸の場合、２枚以上の戸により、引き戸全体が構成されている。
【０００４】
特許文献１には、２本の連動軸によって保持されたフックが、前記２本の連動軸の移動によって回転運動することにより、錠本体からフックを突出させ、さらに、不正な解除を防ぐための鎌片保護部材を突出させて施錠状態にする引き戸用錠が開示されている。
【０００５】
【特許文献１】特開２００４−１６９４９１号公報
【発明の開示】
【発明が解決しようとする課題】
【０００６】
しかしながら、上述した従来の技術では、施錠時であっても、施錠する側の戸と施錠される側の戸との間の引き戸の厚さ方向の隙間が開いた状態であり、各々の戸がそれぞれ揺動することによる引き戸のガタツキが問題であった。とくに、連送式引き戸においては、戸の枚数が多いことに加え、各々の戸が通常の引き戸に比べて小型であり、ちょっとした風などを受けても引き戸のガタツキが顕著に現れるという問題があった。
【０００７】
本発明は、上記従来の問題を鑑みたもので、施錠時に、引き戸間の厚さ方向の隙間をあけることなく、密接させて固定し、引き戸のがたつきを抑えることができ、かつ、防犯面においても有用な引き戸用錠を提供することを目的としている。
【課題を解決するための手段】
【０００８】
本発明の引き戸用錠によれば、（ａ）対向する内側側面に凹状のガイド溝が形成された構体と、（ｂ）対向する面に孔が形成され、施錠操作の動きに連動して直線的に移動するスライド部材と、（ｃ）該スライド部材の対向する面に形成された孔から突出して前記構体に形成されたガイド溝に両端が嵌合し、前記スライド部材の移動に伴って、前記孔およびガイド溝の形状に沿って移動する２本の連動軸と、（ｄ）該２本の連動軸によって保持され、施錠時に前記構体から突出するフックとを有し、前記（ａ）の構体内に、前記（ｂ）のスライド部材が、前記（ａ）の構体のガイド溝が形成された面と、前記（ｂ）のスライド部材の孔が形成された対向する面とが平行になるように収容された引き戸用錠であって、前記スライド部材には、前記フックが突出する側に向けて凸の略円弧状の誘導孔と、前記フックが突出する側から離れる方向に延びるような形状の誘導孔とが形成され、前記構体には、前記スライド部材の進行方向に延びるような形状のガイド溝と、前記スライド部材の進行方向に対して垂直な方向に延びるような形状のガイド溝とが形成されてなることにより、上記目的が達成される。
【０００９】
さらに、本発明の引き戸用錠によれば、（ａ）対向する内側側面に凹状のガイド溝が形成された構体と、（ｂ）対向する面に孔が形成され、施錠操作の動きに連動して直線的に移動するスライド部材と、（ｃ）該スライド部材の対向する面に形成された孔から突出して前記構体に形成されたガイド溝に両端が嵌合し、前記スライド部材の移動に伴って、前記孔およびガイド溝の形状に沿って移動する２本の連動軸と、（ｄ）該２本の連動軸によって保持され、施錠時に前記構体から突出するフックとを有し、前記（ａ）の構体内に、前記（ｂ）のスライド部材が、前記（ａ）の構体のガイド溝が形成された面と、前記（ｂ）のスライド部材の孔が形成された対向する面とが平行になるように収容された引き戸用錠であって、前記スライド部材には、該スライド部材の進行方向に延びるような形状の誘導孔と、前記フックが突出する側から離れる方向に延びるような形状の誘導孔とが形成され、前記構体には、前記フックが突出する側の反対方向に向けて凸の略円弧状のガイド溝と、前記スライド部材の進行方向に対して垂直な方向に延びるような形状のガイド溝とが形成されてなることにより、上記目的が達成される。
【００１０】
また、前記スライド部材に形成された前記フックが突出する側から離れる方向に延びるような形状の誘導孔が、前記スライド部材の施錠時における進行方向の側から離れる方向に延びるように階段状に形成されてなることが好ましい。
【００１１】
また、前記スライド部材に形成された、前記フックが突出する側から離れる方向に延びるような形状の誘導孔が、前記スライド部材の施錠時における進行方向の側から離れる方向に延びるように直線状に形成されてなることが好ましい。
【発明の効果】
【００１２】
本発明の引き戸用錠によれば、施錠時に、フックの回転運動の後、フックを錠本体に引き寄せる引込運動を行うので、施錠する側の引き戸が施錠される側の引き戸を引き寄せ、引き戸間の厚さ方向の隙間をあけることなく、密接させて固定するので、引き戸のガタツキを抑えることができる。さらに、このような、施錠時に、引き戸間の厚さ方向の隙間を設けないようにする引き戸用錠は、防犯面においても有用である。
【発明を実施するための最良の形態】
【００１３】
本発明の引き戸用錠は、箱状の構体内に、構体内を直線的に移動するスライド部材と、スライド部材に形成された孔を貫通し、両端が構体に形成された溝に嵌合された２本の連動軸と、２本の連動軸によって保持されたフックとを有し、スライド部材を移動させると、２本の連動軸が、それぞれ、前記孔または前記溝の形状に沿って移動するものである。とくに、スライド部材に形成される孔と構体に形成される溝の形状および組み合わせを特定することにより、施錠時に、フックの回転運動の後、フックを錠本体に引き寄せる引込運動を行う。このようにして、フックの回転運動とフックの引込運動とが結合された動きを実現する。
【００１４】
添付図面を参照しながら、本発明の引き戸用錠を以下で詳細に説明する。
【００１５】
図１は、本発明の引き戸用錠の使用状態を表す斜視図、図２は、本発明の引き戸用錠の使用状態を表す縦断面図、図３は、実施の形態１のスライド部材を示す斜視図、図４は、図３のスライド部材の側面図、図５は、実施の形態１の構体を示す斜視図、図６は、図５の構体の側面図、図７は、フックの側面図、図８は、図７のフックの斜視図、図９（ａ）は、連動軸の一例を示す斜視図であり、また、（ｂ）は、連動軸の他の一例を示す斜視図、図１０は、フックの係合部を示す図、図１１は、操作手段の一例を示す縦断面図、図１２（ａ）は、実施の形態１の錠本体の動作を説明するための側面図であり、フックが構体内に収まった状態を示す図、図１２（ｂ）は、実施の形態１の錠本体の動作を説明するための側面図であり、フックが回転運動をしている状態を示す図、図１２（ｃ）は、実施の形態１の錠本体の動作を説明するための側面図であり、フックが回転運動から水平運動に転換する状態を示す図、図１２（ｄ）は、実施の形態１の錠本体の動作を説明するための側面図であり、フックが構体内に引き込まれる状態を示す図、図１３は、実施の形態２のスライド部材を示す斜視図、図１４は、図１３に示すスライド部材の側面図、図１５は、実施の形態２の構体を示す斜視図、図１６は、実施の形態２の構体を示す側面図、図１７（ａ）は、実施の形態２の錠本体の動作を説明するための側面図であり、フックが構体内に収まった状態を示す図、図１７（ｂ）は、実施の形態２の錠本体の動作を説明するための側面図であり、フックが回転運動をしている状態を示す図、図１７（ｃ）は、実施の形態２の錠本体の動作を説明するための側面図であり、フックが回転運動から水平運動に転換する状態を示す図、図１７（ｄ）は、実施の形態２の錠本体の動作を説明するための側面図であり、フックが構体内に引き込まれる状態を示す図である。
【００１６】
実施の形態１
実施の形態１の引き戸用錠は、施錠する側の引き戸Ｄ１に設けられた錠本体１００と、施錠される側の引き戸Ｄ２に設けられた係合部６と、錠本体１００に取り付けられて利用者が施錠操作を行う操作手段５とから構成されている。
【００１７】
錠本体１００は、図２に示されるように、構体１と、スライド部材２と、フック３と、２本の連動軸４とから構成されている。
【００１８】
構体１は、図５に示されるように、箱状で内側側面の対向する１対の面に凹状のガイド溝が形成されている。また、構体１には、ガイド溝が形成された一方の面と同一の面にスライド部材２の移動距離とほぼ同一の長さの操作手段連結孔１ｃが形成され、操作手段連結孔１ｃが形成された面に対して垂直な面にフック突出孔１ｄが長方形状に形成されている。
【００１９】
ガイド溝は、図６に示されるように、連動軸４の移動を誘導するためのもので、連動軸ａの移動を誘導するために形成された連動軸ａのガイド溝１ａと、連動軸ｂの移動を誘導するために形成された連動軸ｂのガイド溝１ｂとから構成されている。さらに、ガイド溝１ａは、スライド部材２の移動方向に平行に形成された回転運動ガイド溝１ａ１と、回転運動ガイド溝１ａ１のスライド部材２の移動方向ｓの側の端部と連続し、スライド部材２の移動方向に対して垂直であり、かつ、フック突出側Ｆから離れる方向へむけて形成された連動軸ａの引込ガイド溝１ａ２とに分けられる。また、ガイド溝１ｂは、スライド部材２の移動方向ｓに対して垂直で、フック突出側Ｆから離れる方向へ向けて形成された連動軸ｂの引込ガイド溝１ｂ１からなる。
【００２０】
スライド部材２は、図３に示されるように、コ字状の部材であり、１対の対向する面に孔が形成され、この１対の対向する面が構体１のガイド溝が形成された面に平行になるように構体１内に収容される。また、スライド部材２には、操作手段５と嵌合し、施錠操作の動きをスライド部材に伝達するための、突出した円柱形状の操作手段接続部２１が設けられている。また、スライド部材２は、施錠の際に図４に示される矢印ｓの方向（紙面上方）へ直線的に移動する。
【００２１】
スライド部材２の一対の対向する面には、図４に示されるように、連動軸ａの移動を誘導するために形成された誘導孔２ａと、連動軸ｂの移動を誘導するためのスライド部材２の移動方向に延びるような形状の誘導孔２ｂとが形成されている。さらに、誘導孔２ａは、連動軸ａの回転運動誘導孔２ａ１と、フック突出側Ｆから離れる方向であって、施錠時のスライド部材２の移動方向と反対の方向（図４紙面右斜め下方）に階段状に延びるような形状の連動軸ａの引込誘導孔２ａ２とに分けられる。また、誘導孔２ｂは、フック突出側Ｆに凸の略円弧状の連動軸ｂの回転運動誘導孔２ｂ１と、フック突出側Ｆから離れる方向であって、かつ、施錠時のスライド部材２の移動方向ｓと反対の方向（図４紙面右斜め下方）へ延びるように形成された階段状の連動軸ｂの引込誘導孔２ｂ２とに分けられる。
【００２２】
ここで、構体１に形成された連動軸ａの回転運動ガイド溝１ａ１と、スライド部材２に形成された連動軸ｂの回転運動誘導孔２ｂ１との関係について説明する。構体１に形成された回転運動ガイド溝１ａ１のスライド部材移動方向に平行な長さとスライド部材２の回転運動誘導孔２ｂ１のスライド部材移動方向に平行な長さとがほぼ同一の長さｙになるように設定する。このように、構体１に形成されるガイド溝の長さとスライド部材２に形成される誘導孔の長さを設定することにより、スライド部材２が施錠時に垂直方向（図４紙面上方）へｙだけ移動したとき、すなわち連動軸ｂ４ｂがスライド部材２に形成された回転運動誘導孔２ｂ１と引込誘導孔２ｂ２との境界位置に達したときに、連動軸ａ４ａがちょうど構体１に形成された回転運動ガイド溝１ａ１と引込ガイド溝１ａ２との境界位置に達する。
【００２３】
フック３は、図７および図８に示されるように、かぎ部の内側輪郭が係合部６の縦断面形状に沿った形状を有している。また、フック３には、連動軸ａ４ａを貫通させるための連動軸ａ貫通孔３ａと、連動軸ｂ４ｂを貫通させるための連動軸ｂ貫通孔３ｂとが形成されている。フック３は、この連動軸ａ貫通孔３ａを貫通した連動軸ａ４ａおよび連動軸ｂ貫通孔３ｂを貫通した連動軸ｂ４ｂを介して、構体１内のスライド部材２の孔が形成された対向する２面の間に保持されている。施錠時に、フック３が構体１から突出する際には、連動軸ｂ貫通孔３ｂを中心とし、連動軸ａ貫通孔３ａと連動軸ｂ貫通孔３ｂ間の距離を半径とした回転運動が行われる。
【００２４】
２本の連動軸４は、図９（ａ）および図９（ｂ）に示されるように、円柱状または円柱の両端部の径を構体１に形成されたガイド溝に嵌合しやすいように小さく設定した形状の軸を用いる。上述したように、フック３の連動軸ａ貫通孔３ａに貫通させる連動軸を連動軸ａ４ａ、フック３連動軸ｂ貫通孔３ｂに貫通させる連動軸を連動軸ｂ４ｂとする。２本の連動軸４は、それぞれ、フック３に形成された連動軸貫通孔およびスライド部材２の向かい合う２面に形成された孔を貫通し、構体１に形成されたガイド溝にその両端が嵌合している。施錠時には、この２本の連動軸４が、スライド部材２の直線的な移動に伴って、スライド部材２の誘導孔および構体１のガイド溝の形状に沿ってそれぞれ移動する。図４のスライド部材２に示された矢印ＡおよびＢは、それぞれ、スライド部材２における連動軸ａ４ａおよび連動軸４ｂの施錠時の軌道をあらわしている。また、図６の構体１に示された矢印Ａ’およびＢ’は、それぞれ、構体１における連動軸ａ４ａおよび連動軸ｂ４ｂの施錠時の軌道をあらわしている。なお、図４に示されるスライド部材２における連動軸ａ４ａおよび連動軸ｂ４ｂの施錠時の軌道（矢印ＡおよびＢ）は、スライド部材２の直線的な移動に伴う連動軸ａ４ａおよび連動軸ｂ４ｂの相対的な軌道を示したものである。
【００２５】
係合部６は、図２および図１０に示されるように、施錠される側の引き戸Ｄ２に設けられ、その縦断面形状は、図２に示されるように、フック３のかぎ部の内側輪郭に沿うような形状であることが好ましい。
【００２６】
操作手段５は、図１１に示されるように、操作プレート５２と、取り付け体５３とから構成されている。操作プレート５２は、取り付け体５３に嵌合するように設けられた板状の部材であり、その一方の面（錠本体に面した面）には、構体１内に収容されたスライド部材２と操作手段５とを接続するための凹部５ａが形成され、この凹部５ａにスライド部材２に設けられた操作手段接続部２１が嵌合する。また、操作プレート５２の他方の面には、凸状の操作部５１が設けられている。さらに、操作プレート５２には、操作プレート５２の位置を上方に保持するための係止部５４が、操作プレート５２の厚さ方向の面に、操作プレート５２の内部へ入り込むように取り付けられている。係止部５４には、圧縮コイルバネが組み込まれ、この圧縮コイルバネの付勢力が取り付け体５３を押圧する方向へ向けられていることにより、操作プレート５２は上方に保持される。
【００２７】
利用者が、操作部５１を、垂直方向に押し上げると、操作部５１と一体的に設けられた操作プレート５２が連動して垂直方向に押し上がり、操作プレート５２に形成された凹部５ａに嵌合したスライド部材の操作手段接続部２１を介して、構体１内に収容されたスライド部材２が上方に移動する。
【００２８】
以下で、本発明の引き戸用錠本体１００の動作を、図１２（ａ）〜図１２（ｄ）を用いて説明する。
【００２９】
まず、初期状態として、施錠していない状態について説明する。図１２（ａ）に示されるように、初期状態では、操作手段接続部２１が操作手段連結孔１ｃの下方（図１２（ａ）紙面下方）にあり、構体１内に収容されたスライド部材２も構体１内の下方に位置している。このとき、フック３の連動軸ａ貫通孔３ａを貫通した連動軸ａ４ａは、スライド部材２に形成された誘導孔２ａの回転運動誘導孔２ａ１における施錠時のスライド部材２の進行方向ｓ側の端部に位置しており、構体１に形成されたガイド溝１ａの回転運動ガイド溝１ａ１の下端に位置している。また、フック３の連動軸ｂ貫通孔３ｂを貫通した連動軸ｂ４ｂは、スライド部材２に形成された誘導孔２ｂの回転運動誘導孔２ｂ１における施錠時のスライド部材２の進行方向ｓ側の端部に位置しており、構体１に形成されたガイド溝１ｂのフック突出側Ｆ側に位置している。また、フック３は、連動軸ａ貫通孔３ａおよび連動軸ｂ貫通孔３ｂの位置関係により、フック３の状態が決定され、構体１内にその全体が収容された状態である。
【００３０】
つぎに、施錠時の動作について説明する。利用者が操作手段５の操作部５１を上方に押し上げると、スライド部材２がこの操作に連動して垂直方向へ移動し始める。図１２（ｂ）に示されるように、操作手段接続部２１は操作手段連結孔１ｃの若干上方へ上昇し、操作手段接続部２１の移動と共に、スライド部材２も若干上方へ直線的に上昇する。このとき、フック３の連動軸ａ貫通孔３ａを貫通した連動軸ａ４ａは、スライド部材２に形成された誘導孔２ａの回転運動誘導孔２ａ１の側縁部に係止された状態で、スライド部材２の上昇と共に構体１に形成されたガイド溝１ａの回転運動ガイド溝１ａ１を若干上方へ移動する。また、フック３の連動軸ｂ貫通孔３ｂを貫通した連動軸ｂ４ｂは、スライド部材２に形成された誘導孔２ｂの回転運動誘導孔２ｂ１を通過し、構体１に形成されたガイド溝１ｂのフック突出側Ｆ側に向かってやや移動する。また、フック３は、連動軸ｂ４ｂを回転の中心として、連動軸ｂ４ｂの軸心と連動軸ａ４ａの軸心との距離を回転半径として、回転運動を始め、構体１に形成されたフック突出孔１ｄからその一部を突出させる。
【００３１】
さらに、利用者が操作手段５の操作部５１を上方に押し上げると、スライド部材２がさらに上方へ移動する。図１２（ｃ）に示されるように、操作手段接続部２１は操作手段連結孔１ｃのさらに上方へ移動し、操作手段接続部２１の移動と共に、スライド部材２もさらに上方へ直線的に上昇する。このとき、フック３の連動軸ａ貫通孔３ａを貫通した連動軸ａ４ａは、スライド部材２に形成された誘導孔２ａの回転運動誘導孔２ａ１と引込誘導孔２ａ２との境界に位置しており、構体１に形成されたガイド溝１ａの回転運動ガイド溝１ａ１と引込ガイド溝１ａ２との境界に到達する。また、フック３の連動軸ｂ貫通孔３ｂを貫通した連動軸ｂ４ｂは、スライド部材２に形成された誘導孔２ｂの回転運動誘導孔２ｂ１と引込誘導孔２ｂ２との境界に到達し、構体１に形成されたガイド溝１ｂのフック突出側Ｆ側から、初期状態の位置に戻る。また、フック３は、錠本体１００の外側へ突出した状態である。
【００３２】
最後に、フック３の引込動作について説明する。利用者が操作手段５の操作部５１を可動な範囲の最上部まで押し上げると、スライド部材２が最上部まで移動する。図１２（ｄ）に示されるように、操作手段接続部２１は操作手段連結孔１ｃの最上部まで上昇し、操作手段接続部２１の移動と共に、スライド部材２も最上部まで直線的に上昇する。このとき、フック３の連動軸ａ貫通孔３ａを貫通した連動軸ａ４ａは、スライド部材２に形成された誘導孔２ａの引込誘導孔２ａ１を通過し、フック突出側Ｆから離れる方向へ図４に示す距離ｘだけ水平に誘導され、構体１に形成されたガイド溝１ａの引込ガイド溝１ａ２のフック突出側Ｆの反対方向の端（図１２（ｄ）紙面右側）に到達する。また、フック３の連動軸ｂ貫通孔３ｂを貫通した連動軸ｂ４ｂは、スライド部材２に形成された誘導孔２ｂの引込誘導孔２ｂ２を通過し、フック突出側Ｆから離れる方向へ図４に示す距離ｘだけ水平に誘導され、構体１に形成された引込ガイド溝１ｂ１のフック突出側Ｆの反対方向の端（図１２（ｄ）紙面右端）に到達する。すなわち、スライド部材２に形成された引込誘導孔（２ａ２および２ｂ２）が、構体１に形成された引込ガイド溝（１ａ２および１ｂ１）とすれ違う際に、連動軸ａ４ａおよび連動軸ｂ４ｂをフック突出側Ｆから離れる方向へ水平移動させる。また、フック３は、連動軸ａ４ａおよび連動軸ｂ４ｂのフック突出側Ｆの反対方向（紙面右方向）への水平移動に伴い、フック突出側Ｆの反対方向（図１２（ｄ）紙面右方向）方へ引き寄せられる。この際のフック３の引き込み動作により、引き戸間の厚さ方向の隙間をあけることなく、引き戸を密接させて固定する。
【００３３】
一方、施錠を解除する際には、利用者が、操作手段５の操作部５１を下方へ押し下げることにより、錠本体１００が上述した施錠時の動作と逆の順序で進行し、施錠が解除される。
【００３４】
本発明の引き戸用錠は、施錠時に、施錠する側の引き戸Ｄ１が施錠される側の引き戸Ｄ２を引き寄せ、引き戸間の厚さ方向の隙間をあけることなく、密接させて固定するので、とくに、連送引き戸などの錠として用いることが好ましい。
【００３５】
実施の形態２
実施の形態２の引き戸用錠は、施錠する側の引き戸Ｄ１に設けられた錠本体１００と、施錠される側の引き戸Ｄ２に設けられた係合部６と、錠本体１００に取り付けられて利用者が施錠操作を行う操作手段５とから構成されている。
【００３６】
錠本体１００は、構体１と、スライド部材２と、フック３と、２本の連動軸４とから構成されている。
【００３７】
構体１は、図１５に示されるように、箱状で内側側面の対向する１対の面に凹状のガイド溝が形成されている。また、構体１には、ガイド溝が形成された一方の面と同一の面にスライド部材２の移動距離とほぼ同一の長さの操作手段連結孔１ｃが形成され、操作手段連結孔１ｃが形成された面に対して垂直な面にフック突出孔１ｄが長方形状に形成されている。
【００３８】
ガイド溝は、図１６に示されるように、連動軸４の移動を誘導するためのもので、連動軸ａの移動を誘導するために形成された連動軸ａのガイド溝１ａと、連動軸ｂの移動を誘導するために形成された連動軸ｂのガイド溝１ｂとから構成されている。さらに、ガイド溝１ａは、フックが突出する側Ｆの反対方向に向けて凸の略円弧状の回転運動ガイド溝１ａ１と、回転運動ガイド溝１ａ１のスライド部材２の移動方向ｓの側の端部と連続し、スライド部材２の移動方向に対して垂直であり、かつ、フック突出側Ｆから離れる方向へむけて形成された連動軸ａの引込ガイド溝１ａ２とに分けられる。また、ガイド溝１ｂは、スライド部材２の移動方向ｓに対して垂直で、フック突出側Ｆから離れる方向へ向けて形成された連動軸ｂの引込ガイド溝１ｂ１からなる。
【００３９】
スライド部材２は、図１３に示されるように、コ字状の部材であり、１対の対向する面に孔が形成され、この１対の対向する面が構体１のガイド溝が形成された面に平行になるように構体１内に収容される。また、スライド部材２には、操作手段５と嵌合し、施錠操作の動きをスライド部材に伝達するための、突出した円柱形状の操作手段接続部２１が設けられている。また、スライド部材２は、施錠の際に図１４に示される矢印ｓの方向（紙面上方）へ直線的に移動する。
【００４０】
スライド部材２の一対の対向する面には、図１４に示されるように、連動軸ａの移動を誘導するために形成された誘導孔２ａと、連動軸ｂの移動を誘導するためのスライド部材２の移動方向に延びるような形状の誘導孔２ｂとが形成されている。さらに、誘導孔２ａは、連動軸ａの回転運動誘導孔２ａ１と、フック突出側Ｆから離れる方向であって、施錠時のスライド部材２の移動方向と反対の方向（図１４、紙面右斜め下方）に直線状に延びるような形状の連動軸ａの引込誘導孔２ａ２とに分けられる。また、誘導孔２ｂは、スライド部材２の進行方向に平行に延びるように形成された連動軸ｂの回転運動誘導孔２ｂ１と、フック突出側Ｆから離れる方向であって、かつ、施錠時のスライド部材２の移動方向ｓと反対の方向（図１４、紙面右斜め下方）へ延びるように形成された直線状の連動軸ｂの引込誘導孔２ｂ２とに分けられる。
【００４１】
ここで、構体１に形成された連動軸ａの回転運動ガイド溝１ａ１と、スライド部材２に形成された連動軸ｂの回転運動誘導孔２ｂ１との関係について説明する。構体１に形成された回転運動ガイド溝１ａ１のスライド部材移動方向に平行な長さとスライド部材２の回転運動誘導孔２ｂ１のスライド部材移動方向に平行な長さとがほぼ同一の長さｙになるように設定する。このように、構体１に形成されるガイド溝の長さとスライド部材２に形成される誘導孔の長さを設定することにより、スライド部材２が施錠時に垂直方向（図１４、紙面上方）へｙだけ移動したとき、すなわち連動軸ｂ４ｂがスライド部材２に形成された回転運動誘導孔２ｂ１と引込誘導孔２ｂ２との境界位置に達したときに、連動軸ａ４ａがちょうど構体１に形成された回転運動ガイド溝１ａ１と引込ガイド溝１ａ２との境界位置に達する。また、実施の形態１と実施の形態２との違いについて説明する。まず、実施の形態１では、スライド部材２にフック３の回転運動を誘導するための「円弧状」の孔が形成され、かつ、構体１にフック３の回転運動を誘導するための「直線状」の溝が形成されている。これに対し、実施の形態２では、スライド部材２にフック３の回転運動を誘導するための「直線状」の孔が形成され、かつ、構体１にフック３の回転運動を誘導するための「円弧状」の溝が形成されている。つまり、フック３の回転運動は、一方の部材に形成される直線状の溝または孔と、他方の部材に形成される円弧状の溝または孔とが組み合わされることにより実現されている。
【００４２】
フック３、２本の連動軸４、係合部６および操作手段５は、実施の形態１と同様のものを使用することができるので、ここでの説明は省略する。
【００４３】
２本の連動軸４は、施錠時には、スライド部材２の直線的な移動に伴って、スライド部材２の誘導孔および構体１のガイド溝の形状に沿ってそれぞれ移動する。図１４のスライド部材２に示された矢印ＡおよびＢは、それぞれ、スライド部材２における連動軸ａ４ａおよび連動軸ｂ４ｂの施錠時の軌道をあらわしている。また、図１６の構体１に示された矢印Ａ’およびＢ’は、それぞれ、構体１における連動軸ａ４ａおよび連動軸ｂ４ｂの施錠時の軌道をあらわしている。なお、図１４に示されるスライド部材２における連動軸ａ４ａおよび連動軸ｂ４ｂの施錠時の軌道（矢印ＡおよびＢ）は、スライド部材２の直線的な移動に伴う連動軸ａ４ａおよび連動軸ｂ４ｂの相対的な軌道を示したものである。実施の形態１と実施の形態２との共通点は、実施の形態１では、図６中の矢印Ｂ’に示されるように、連動軸ｂ４ｂが回転運動時に水平方向（図６、紙面左右方向）に移動する。一方、実施の形態２では、図１４中の矢印Ａに示されるように、連動軸ａ４ａが回転運動時に水平方向（図１４、紙面左右方向）に移動する点にある。このように、連動軸ａ４ａまたは連動軸ｂ４ｂが、回転運動時に、水平方向へ移動できるように構体１またはスライド部材２に孔または溝を形成する。これにより、フック３に形成される連動軸ａ貫通孔３ａまたは連動軸ｂ貫通孔３ｂの形状を別途特定することなく、フックの回転運動を実現することができる。
【００４４】
実施の形態２の引き戸用錠本体１１０は、図１７（ａ）〜図１７（ｄ）に示されるように、実施の形態１とほぼ同様に動作するので、ここでの詳細な説明は省略する。
【００４５】
以上の実施の形態によれば、スライド部材２に形成される孔と構体１に形成される溝の形状および組み合わせを特定することにより、施錠時に、フックの回転運動の後、フックを錠本体に引き寄せる引込運動を行うので、施錠する側の引き戸が施錠される側の引き戸を引き寄せ、引き戸間の厚さ方向の隙間をあけることなく、密接させて固定するので、引き戸のがたつきを抑えることができる。さらに、このような、施錠時に、引き戸間の厚さ方向の隙間を設けないようにする引き戸用錠は、引き戸間の隙間を利用した不正な開錠を防ぐことができ、防犯面においても有用である。また、上記実施の形態における本発明の引き戸用錠は、施錠操作する位置がフックの突出する面に対して垂直な位置にあるので、施錠操作する操作手段の位置を引き戸の厚さ方向の面に設けることができ、引き戸の厚さに関係なく取り付けることができる。また、上記実施の形態における本発明の引き戸用錠は、施錠操作する位置がフックの突出する面に対して垂直な位置（引き戸の厚さ面）にあるので、引き戸の意匠面にも配慮することができる。
【００４６】
なお、上記実施の形態中では、施錠操作する操作手段５をフック３の突出する面に対して垂直な位置に設けた場合について説明したが、本発明はこれに限らず、施錠手段５をフック３の突出する面に対向する位置に設けても構わない。この場合、操作手段連結孔１ｃをフック３が突出する面に対向する面に形成し、操作手段接続部２１をフック３が突出する面に対向する面に向けて設ける。
【００４７】
また、上記実施の形態中では、施錠手段５の操作部５１を垂直方向に移動させて施錠する施錠手段５の形態について説明したが、本発明はこれに限らず、施錠手段５の操作部５１を回転させて施錠する形態であっても構わない。操作部５１の動きに連動して、スライド部材２が直線的に移動できればよい。
【００４８】
また、上記実施の形態中では、施錠手段５の操作部５１を上方へ押し上げることにより施錠する形態について説明したが、本発明はこれに限らず、施錠手段５の操作部５１を下方へ押し下げることにより施錠する形態（図示せず）であっても構わない。
【図面の簡単な説明】
【００４９】
【図１】本発明の引き戸用錠の使用状態を表す斜視図である。
【図２】本発明の引き戸用錠の使用状態を表す縦断面図である。
【図３】実施の形態１のスライド部材を示す斜視図である。
【図４】図３のスライド部材の側面図である。
【図５】実施の形態１の構体を示す斜視図である。
【図６】図５の構体の側面図である。
【図７】フックの斜視図である。
【図８】図７のフックの側面図である。
【図９】図９（ａ）は、連動軸の一例を示す斜視図である。また、（ｂ）は、連動軸の他の一例を示す斜視図である。
【図１０】フックの係合部を示す図である。
【図１１】操作手段の一例を示す縦断面図である。
【図１２（ａ）】実施の形態１の錠本体の動作を説明するための側面図であり、フックが構体内に収まった状態を示す。
【図１２（ｂ）】実施の形態１の錠本体の動作を説明するための側面図であり、フックが回転運動をしている状態を示す。
【図１２（ｃ）】実施の形態１の錠本体の動作を説明するための側面図であり、フックが回転運動から水平運動に転換する状態を示す。
【図１２（ｄ）】実施の形態１の錠本体の動作を説明するための側面図であり、フックが構体内に引き込まれる状態を示す。
【図１３】実施の形態２のスライド部材を示す斜視図である。
【図１４】図１３に示すスライド部材の側面図である。
【図１５】実施の形態２の構体を示す斜視図である。
【図１６】実施の形態２の構体を示す側面図である。
【図１７（ａ）】実施の形態２の錠本体の動作を説明するための側面図であり、フックが構体内に収まった状態を示す。
【図１７（ｂ）】実施の形態２の錠本体の動作を説明するための側面図であり、フックが回転運動をしている状態を示す。
【図１７（ｃ）】実施の形態２の錠本体の動作を説明するための側面図であり、フックが回転運動から水平運動に転換する状態を示す。
【図１７（ｄ）】実施の形態２の錠本体の動作を説明するための側面図であり、フックが構体内に引き込まれる状態を示す。
【符号の説明】
【００５０】
１  構体
１ａ、１ｂ  ガイド溝
１ａ１  回転運動ガイド溝
１ａ２、１ｂ１  引込ガイド溝
２  スライド部材
２１  操作手段接続部
２ａ、２ｂ  誘導孔
２ａ１、２ｂ１  回転運動誘導孔
２ａ２、２ｂ２  引込誘導孔
３  フック
４  連動軸
４ａ  連動軸ａ
４ｂ  連動軸ｂ
１００、１１０  錠本体
【図１】
0004819585.tif 000002
【図２】
0004819585.tif 000003
【図３】
0004819585.tif 000004
【図４】
0004819585.tif 000005
【図５】
0004819585.tif 000006
【図６】
0004819585.tif 000007
【図７】
0004819585.tif 000008
【図８】
0004819585.tif 000009
【図９】
0004819585.tif 000010
【図１０】
0004819585.tif 000011
【図１１】
0004819585.tif 000012
【図１２（ａ）】
0004819585.tif 000013
【図１２（ｂ）】
0004819585.tif 000014
【図１２（ｃ）】
0004819585.tif 000015
【図１２（ｄ）】
0004819585.tif 000016
【図１３】
0004819585.tif 000017
【図１４】
0004819585.tif 000018
【図１５】
0004819585.tif 000019
【図１６】
0004819585.tif 000020
【図１７（ａ）】
0004819585.tif 000021
【図１７（ｂ）】
0004819585.tif 000022
【図１７（ｃ）】
0004819585.tif 000023
【図１７（ｄ）】
0004819585.tif 000024